(57)【要約】【課題】操作性や使い勝手が良く、歩行者や自転車、自動車等の走行に邪魔となることがない上に、小型軽量にして、しかも製造コストも安価なのぼり旗竿の支持具を提供する。【解決手段】建築物等の取付面ａに対して固定可能な受け部材１、２１、３１と、該受け部材１、２１、３１に対してそれぞれ係・脱自在な係合部材２、２２、３２とを備え、係合部材２、２２、３２を竿５０の所定位置に固定して構成されている。【選択図】　　　　　図１
2004109757.tif 000002
【特許請求の範囲】
【請求項１】
建築物等の取付面に対して固定可能な受け部材と、該受け部材に対して係・脱自在な係合部材とを備え、係合部材を竿の所定位置に固定したことを特徴とするのぼり旗竿の支持具。
【請求項２】
前記受け部材を、建築物等の取付面へ固定される基板部と、係合部材をバネ力をもって挟持する弾性挟持部とを連設すると共に、弾性挟持部下部に係合部材を係止するストッパ部を突設して構成し、
前記係合部材を、外形が前記受け部材の弾性挟持部の内形と同形のブロックにて形成し、該ブロックの中央に竿の挿通孔を上下方向に貫通して構成し、
前記受け部材の基板部を建築物等の取付面に固定する一方、前記係合部材の挿通孔に竿を固定し、受け部材の弾性挟持部へ上方から受け部材を嵌合し、ストッパ部にて係止することを特徴とする請求項１記載ののぼり旗竿の支持具。
【請求項３】
前記受け部材を、建築物等の取付面に固定される角形ブロックにて形成し、該ブロックに前記係合部材の嵌合孔を上下方向に設けて構成し、
前記係合部材を、前記受け部材の嵌合孔へ内嵌する板材にて構成し、
前記受け部材の背面を建築物等の取付面に固定する一方、前記係合部材の板材を止めバンドにて竿に固定し、受け部材の嵌合孔へ上方から係合部材の板材を嵌合、係止することを特徴とする請求項１記載ののぼり旗竿の支持具。
【請求項４】
前記受け部材を、建築物等の取付面へ固定される基板部と、アーム部と、係合板とを連設して構成し、
前記係合部材を、竿へ固定される角形ブロックにて形成し、該ブロックに前記受け部材の係止板へ外嵌する係合孔を上下方向に設けて構成し、
前記受け部材の基板部を建築物等の取付面に固定する一方、前記係合部材の角形ブロックを止めバンドにて竿に固定し、受け部材の係合板へ上方から係合部材の係合孔を嵌合、係止することを特徴とする請求項１記載ののぼり籏竿の支持具。
【請求項５】
前記受け部材を建築物等の取付面へ固定する手段として、両面粘着テープまたはボルトを用いることを特徴とする請求項１〜４記載ののぼり旗竿の支持具。
【発明の詳細な説明】
【０００１】
【発明の属する技術分野】
本発明は、のぼり旗竿の支持具に関する。
【０００２】
【従来の技術】
従来、街頭における商品の広告、宣伝のための広告宣伝媒体としてのぼり籏が使用されることが多い。こののぼり籏は通行人等の視覚に訴えるところから、できるだけ大型のものが望まれている。しかし、斯くするとこれを支える立て台も大型なものとなり、重量も相当に重いものを選択せざるを得ない問題がある。
そこで、従来は、のぼり旗竿の支持具として、コンクリートブロックよりなる立て台、あるいは肉厚な樹脂成形品からなる注水式立て台などが使用されている。
【０００３】
【発明が解決しようとする課題】
しかしながら、前記した従来の支持具は、街頭に設置されるため、歩行者や、自転車、自動車等の走行に邪魔となることが多い上に、搬送に不便で、しかも製造コストも高い問題がある。さらに、のぼり旗竿が重い場合、注水式立て台では、水の他に、砂や小石等を入れることも必要となるため、使い勝手が良くない問題がある。
【０００４】
本発明は、前記した従来の技術が有するこのような問題点を解消するためになされたもので、建築物等の取付面に対してワンタッチで脱着可能とすることで、歩行者や、自転車、自動車等の走行に邪魔することがない上に、小型軽量にして、しかも製造コストも安価なのぼり旗竿の支持具を提供することを目的とする。
【０００５】
【課題を解決するための手段】
上記目的を達成するために、本発明に係るのぼり旗竿の支持具は、建築物等の取付面に対して固定可能な受け部材と、該受け部材に対して係・脱自在な係合部材とを備え、係合部材を竿の所定位置に固定したことを特徴とするのぼり旗竿の支持具を特徴とする。
【０００６】
請求項２は、前記受け部材を、建築物等の取付面へ固定される基板部と、係合部材をバネ力をもって挟持する弾性挟持部とを連設すると共に、弾性挟持部下部に係合部材を係止するストッパ部を突設して構成し、
前記係合部材を、外形が前記受け部材の弾性挟持部の内形と同形のブロックにて形成し、該ブロックの中央に竿の挿通孔を上下方向に貫通して構成し、
前記受け部材の基板部を建築物等の取付面に固定する一方、前記係合部材の挿通孔に竿を固定し、受け部材の弾性挟持部へ上方から受け部材を嵌合し、ストッパ部にて係止することを特徴とする。
【０００７】
請求項３は、前記受け部材を、建築物等の取付面に固定される角形ブロックにて形成し、該ブロックに前記係合部材の嵌合孔を上下方向に設けて構成し、
前記係合部材を、前記受け部材の嵌合孔へ内嵌する板材にて構成し、
前記受け部材の背面を建築物等の取付面に固定する一方、前記係合部材の板材を止めバンドにて竿に固定し、受け部材の嵌合孔へ上方から係合部材の板材を嵌合、係止することを特徴とする。
【０００８】
請求項４は、前記受け部材を、建築物等の取付面へ固定される基板部と、アーム部と、係合板とを連設して構成し、
前記係合部材を、竿へ固定される角形ブロックにて形成し、該ブロックに前記受け部材の係止板へ外嵌する係合孔を上下方向に設けて構成し、
前記受け部材の基板部を建築物等の取付面に固定する一方、前記係合部材の角形ブロックを止めバンドにて竿に固定し、受け部材の係合板へ上方から係合部材の係合孔を嵌合、係止することを特徴とする。
【０００９】
請求項５は、前記受け部材を建築物等の取付面へ固定する手段として、両面粘着テープまたはボルトを用いることを特徴とする。
【００１０】
【発明の実施の形態】
以下、本発明の実施の形態について図面を参照して詳細に説明する。
各図面は本発明に係るのぼり旗竿の支持具の実施形態を示し、図１は使用状態の全体説明図、図２は使用前の分解平面図、図３は使用時の組立て平面図、図４は使用時の組立て底面図、図５は図３のＡ−Ａ断面図、図６は他例を示す使用前の分解平面図、図７は同上の分解側面図、図８はさらに他例を示す使用前の分解平面図、図９は同上の分解側面図、図１０は同上の分解正面図である。
【００１１】
先ず、図１におけるのぼり旗竿Ａおよびその支持具Ｂの全体について説明する。
のぼり旗竿Ａは、表面を軟質合成樹脂でコーティングしたスチールパイプあるいは硬質樹脂製強化パイプ５１、５１等をネジ式ストッパ５２を介して伸縮自在に継いで長尺の竿５０を形成し、竿５０の上端に、細板状の横棒５３の基部を固定した回転頭５４を設けると共に、竿５０の下部に、のぼり籏１００のチチ１０１を掛け止める止め具５５を設けることで構成されている。
【００１２】
前記回転頭５４は、内側にネジ５６を有する円筒形のキャップ体５７にて形成されている。一方、竿５０上端にもネジ５８が形成され、そのネジ５８の下部に環状突起５９が突設されると共に、ネジ５８から環状突起５９の上部にかけて嵌合溝６０が垂直に設けられている。回転筒５４は、竿５０上端の嵌合溝６０に横棒５３の基部を嵌合してからキャップ体５７のネジ５６を竿５０上端のネジ５８へ螺合することにより横棒５３を水平状態に締付け固定するものである。そして、その横棒５３の先端にものぼり籏１００のチチ１０１を掛け止める止め具６１が設けられている。
【００１３】
のぼり籏１００のチチ１０１は、合成繊維製の布帛にて形成されたテープの両端１０２を、図１に示したようにのぼり籏１００の上側の前後両角部、中央後端部および下側後角部等の両側へそれぞれ縫着することによって環状に形成されたものである。
【００１４】
前記止め具５５、６１は共に、竿５０および横棒５３へバネ性を備えた略Ｌ字状の係止片５５ａ、６１ａを付設することで、竿５０と横棒５３との間に差込溝５５ｂ、６１ｂがそれぞれ形成されるよう構成されている。差込溝５５ｂは竿５０の下方へ、差込溝６１ｂは横棒５３の先端へそれぞれ開口するものである。
【００１５】
支持具Ｂは、硬質樹脂を素材として、建築物等の取付面ａに対して固定可能な受け部材１、２１、３１と、該受け部材１、２１、３１に対してそれぞれ係・脱自在な係合部材２、２２、３２とを備え、係合部材２、２２、３２を竿５０の所定位置に固定するものである。
【００１６】
図１ないし図５に示す受け部材１は、基板部３と、弾性挟持部４とを連設して構成される。基板部３は、矩形状に形成され、その背面に両面粘着テープ５が貼付されている。この両面粘着テープ５は、建築物等の取付面ａに固定手段として用いられているが、ボルトや釘等でも良いものである。
【００１７】
弾性挟持部４は、基部６の先端で左右両側へ分岐され、開口側を互いに向き合うように対設した一対の略コ字型挟持片７、７にて構成されている。両挟持片７、７は、その内側を係合部材２の外形と同形、同大の嵌合部８に形成すると共に、先端には、嵌合部８内へ竿５０が挿入されるよう、竿５０の直径と同一またはやや大きい間隔９が設けられている。
なお、弾性挟持部４の基部６は、基板部３と溶着しても良く、また、一体に形成しても良い。
【００１８】
さらに、弾性挟持部４の下部、すなわち両挟持片７、７における基部６先端の中央下側に、係合部材２を係止するストッパ部１０が突設して形成されている。このストッパ部１０には、その中央に竿５０の係合凹部１１が設けられている。
【００１９】
一方、係合部材２は、その外形が、弾性挟持部４における挟持片７、７の嵌合部８と同形、同大の菱形ブロック２ａに形成され、そのブロック２ａの中央に、竿５０の挿通孔１２が上下方向に貫通して設けられている。そして、この挿通孔１２に、竿５０をその所定部位まで挿通し、固定する。この固定のための手段は、溶着、ビス止め、接着剤による接着等、何れでも良い。
【００２０】
図１において、１３は竿５０の補助の支持具で、基板部１４の先端に略Ｕ字状の弾性挟持部１５が設けられている。基板部１４の背面に、受け部材１と同様に両面粘着テープ１６が貼付されている。
【００２１】
次に、本発明の使用方法について説明する。
先ず、支持具Ｂの受け部材１の基板部３に貼付されている両面粘着テープ５の表紙を剥離し、露呈した粘着面を、建築物等の取付面ａの所定位置に押し付けることで受け部材１を固定する。一方の支持具１３も同様な方法で取付面ａの受け部材１真下の所定位置に固定する。
【００２２】
次いで、のぼり籏１００をチチ１０１を介して取り付けた竿５０に固定した係合部材２を、受け部材１の弾性挟持部４内側の嵌合部８へ上方より嵌合すると、係合部材２は、嵌合部８の下方に設けられたストッパ部１０に係止される。支持具１３に対しても同様に、弾性挟持部１５へ竿５０を嵌挿、挟持させるものである。
【００２３】
なお、この操作前に、竿５０上端に螺合している回転頭５４を取り外し、嵌合溝６０に横棒５３の基部を嵌合させた後、回転頭５４を再度螺合させることで横棒５３を締付け固定すると共に、のぼり籏１００下部のチチ１０１先端を竿５０下部の止め具５５へ掛け止める。
【００２４】
以上のようにして竿５０を取付けた後に、回転頭５４および止め具５５に掛け止めされているチチ１０１を外し、竿５０を真上へ持ち上げれば、係合部材２が受け部材１の嵌合部８から引き抜かれてフリーとなるため、竿５０は容易に取外すことができる。
【００２５】
図６および図７に示す受け部材２１は、前部の上下方向に貫通して嵌合孔２３が設けられた角型ブロック２１ａにて形成され、その背面に両面粘着テープ５が貼付されている。
なお、図中２４は、角型ブロック２１ａを軽量化するための抜き孔を示す。
【００２６】
一方、係合部材２２は、受け部材２１の嵌合孔２３に嵌合する板材２５にて形成され、その裏側に、受け部材２１の嵌合孔２３の前部上端に係止する係止板２６を介して金属製の止めバンド２７を設けている。この止めバンド２７は、係止板２６を竿５０の所定位置に当てがい、止めバンド２７の両側からビス２８をネジ込むことにより係合部材２２を竿５０に固定するものである。
【００２７】
使用に際しては、前記同様、受け部材２１を建築物等の取付面ａに固定した後、竿５０に固定した係合部材２２の板材２５を、受け部材２１の嵌合孔２３に上方より嵌合、係止するものである。その際の回転頭５４や止め具５５への操作も同様である。
【００２８】
図８ないし図１０に示す受け部材３１は、基板部３３と、アーム部３４と、係止板３５とを連設して構成される。基板部３２は、矩形状に形成され、その背面に両面粘着テープ５が貼付されている。係止板３５は、上方両側に内側へ傾斜するテーパ部３５ａ、３５ａがそれぞれ形成され、その裏側下方でアーム部３４の先端に一体に連設されている。
【００２９】
一方、係合部材３２は、受け部材３１の係止板３５へ嵌合する嵌合孔３６が上下方向に貫通している両側テーパの角型ブロック３２ａにて形成され、その裏側に止めバンド３７を設けている。この止めバンド３７は、角型ブロック３２ａを竿５０の所定位置に当てがい、止めバンド３７の両側からビス３８をネジ込むことにより係合部材３２を竿５０に固定するものである。
【００３０】
使用に際しては、前記同様、受け部材３１の基板部３３を建築物等の取付面ａに固定した後、係止板３５に係合部材３２の嵌合孔３６を嵌合、係止するものである。その際の回転頭５４や止め具５５への操作も同様である。
【００３１】
【発明の効果】
本発明は、以上詳述したように、建築物等の取付面に対して固定可能な受け部材と、該受け部材に対してそれぞれ係・脱自在な係合部材とを備え、係合部材をのぼり旗竿の所定位置に固定するものであるから、いったん建築物等の取付面に対して受け部材を固定しておければ、のぼり旗竿を、当該面にワンタッチで取付け、もしくは取外すことが可能である。また、取付けられた竿は、風圧等を受けても受け部材中で回動することがなく、したがって、予め見易く設定されているのぼり籏を取付中に見えにくい状態に変換されることがない。
【００３２】
さらに、本願の支持具は、操作性や使い勝手がきわめて良いものである。
【００３３】
しかも、歩行者や自転車、自動車等の走行に邪魔となることがない上に、小型、軽量で搬送に便利で、しかも製造コストも安価である。
【図面の簡単な説明】
【図１】本発明に係るのぼり籏竿の支持具の使用状態を示す全体の説明図である。
【図２】同上支持具の使用前の分解平面図である。
【図３】同上支持具の使用時の組立て平面図である。
【図４】同上支持具の使用時の組立て平面図である。
【図５】図３のＡ−Ａ断面図である。
【図６】他例を示す使用前の分解平面図である。
【図７】同上の分解側面図である。
【図８】さらに他例を示す使用前の分解平面図である。
【図９】同上の分解側面図である。
【図１０】同上の分解正面図である。
【符号の説明】
Ａ　　　　　　　のぼり旗竿
Ｂ　　　　　　　支持具
ａ　　　　　　　建築物等の取付面
１、２１、３１　受け部材
２、２２、３２　係合部材
５０　　　　　　竿
【図１】
2004109757.tif 000003
【図２】
2004109757.tif 000004
【図３】
2004109757.tif 000005
【図４】
2004109757.tif 000006
【図５】
2004109757.tif 000007
【図６】
2004109757.tif 000008
【図７】
2004109757.tif 000009
【図８】
2004109757.tif 000010
【図９】
2004109757.tif 000011
【図１０】
2004109757.tif 000012